(57)【要約】      （修正有）【課題】迅速な製造を行なうことができる遊技機を提供する。【解決手段】遊技盤１０に組付けられるセンター役物１５の裏側に臨む配線２６には、その一部が折曲げられた状態で結束された結束部２６ａが形成されている。遊技盤１０の裏面に組付けられる取付部材３１には、結束部２６ａを収容する配線収容部３６が設けられる。配線収容部３６には、収容された結束部２６ａが内側から当接する第１配線当接部３７が形成されて、結束部２６ａが外部に簡単には抜けないようになっている。【選択図】図７
2008036171.tif 000002
【特許請求の範囲】
【請求項１】
配線を有する遊技装置が遊技盤に設けた開口部に取付けられると共に、遊技演出を表示するための表示装置が取付けられる取付部材が遊技盤の裏面に配設された遊技機において、
前記配線の一部を折曲げて結束した結束部と、
前記遊技装置に設けられ、前記配線における結束部を挟む前後の部位を保持する保持手段と、
前記取付部材に設けられ、前記結束部が挿脱可能で、該結束部を当接状態で収容保持する配線収容部とを備える
ことを特徴とする遊技機。
【請求項２】
前記遊技装置は、所要部位に開設した窓口を介して前記表示装置を遊技盤前側に臨ませる装飾部材である請求項１記載の遊技機。
【請求項３】
前記配線収容部には、前記結束部を配線収容部に収容する際に押圧変形させた力を解除することで復元する側に、該結束部に当接する配線当接部が設けられている請求項１または２記載の遊技機。
【請求項４】
前記表示装置はケース体に収容され、該ケース体を前記取付部材に着脱自在に固定する固定手段が係合する保持部が、前記配線収容部に形成されている請求項１〜３の何れか一項記載の遊技機。
【発明の詳細な説明】
【技術分野】
【０００１】
この発明は、表示装置が取付けられる取付部材や遊技装置の遊技盤への組付け時における作業性を向上した遊技機に関するものである。
【背景技術】
【０００２】
代表的な遊技機であるパチンコ機において、機内にセットされる遊技盤の盤面に画成した遊技領域を流下する遊技球を入球し得る入賞装置、入賞することにより図柄変動ゲームの開始の権利を得る始動入賞装置、各種図柄を変動および停止表示させて所要の図柄変動ゲームを行なう表示装置、その他発光装置等、遊技に供する多くの遊技装置(役物ともいう)が、遊技盤の表側に設置されている。
【０００３】
これらの遊技装置は、遊技盤を所定の大きさでくり貫いた開口部に、当該遊技装置の後端部分を配置するように設置されている。また遊技装置の後端部にて、入賞装置であれば、入賞した遊技球を排出する排出経路が設けられる。そして、遊技盤の裏側には、個々の入賞装置の排出経路から排出された遊技球を集合させた上で、まとめて遊技機外へ排出し得る集合樋(裏樋ともいう)が設けられている。
【０００４】
一方、電気的に作動(発光、駆動、検知等)する遊技装置では、該遊技装置から導出する配線は、遊技盤を貫通する開口部から裏側へ引き出されるように取り回され、遊技盤の裏側または遊技機本体の裏側に配置された中継基板、制御基板や電源基板等の各種基板に接続されるようになっている。
【０００５】
前記遊技装置の配線を取り回す際に、該配線の断線の防止や入賞球の排出経路の確保を、前記集合樋を利用して行なう遊技機が、特許文献１として提案されている。特許文献１に開示の発明では、遊技盤の裏面に、開口部に連通する溝を設け、開口部に配設した遊技装置から導出する配線を溝に収容した状態で、該配線を集合樋の外周壁で押圧規制している。
【０００６】
なお、近年の液晶表示装置を代表とする表示装置の大型化に伴い、前記集合樋とは別に取付部材を遊技盤の裏面に配設し、該取付部材に表示装置を裏側から取付ける構成が採用されている(例えば、特許文献２参照)。
【特許文献１】特開２００２−３５３７６号公報
【特許文献２】特開２００５−３４４２１号公報
【発明の開示】
【発明が解決しようとする課題】
【０００７】
しかし、特許文献１に開示の発明においては、遊技盤の裏面における集合樋の外周壁と交差する部分に溝を設けなければならず、この溝を形成する加工工程が増えることで、遊技機の製造効率が低下する難点が指摘される。また、集合樋の外周壁で配線を位置規制しているので、集合樋を組付ける際には、配線を前記溝以外の部位にて遊技盤と挟持することがないように、前記溝から配線がはみ出ていないかを確認しつつ作業を進めるため、迅速な組立て作業を実現できず、作業効率が低下する一因となっている。
【０００８】
なお、特許文献２においては、表示装置の周囲に配設した大型の装飾部材を本体とするセンター役物に多くの発光体や電動式の可動演出体等の遊技装置を配置した場合は、遊技盤に設けられた開口部を介して裏側へ通出された遊技装置の配線に対する断線防止対策等を考慮する必要がある。そこで、特許文献１に開示の発明を、特許文献２に開示の発明に採用することが考えられるが、その場合においても遊技盤裏側に溝を設ける必要があることから、加工工数が増加すると共に各部材の組立て作業を効率的に行なうことができないと云う、特許文献１に関して前述したと同様の問題を招く。
【０００９】
すなわち本発明は、従来の技術に係る遊技機に内在する前記課題に鑑み、これらを好適に解決するべく提案されたものであって、迅速な製造を行なうことができる遊技機を提供することを目的とする。
【課題を解決するための手段】
【００１０】
前記課題を克服し、所期の目的を達成するため、本願の請求項１に係る発明の遊技機は、
配線(26)を有する遊技装置(15)が遊技盤(10)に設けた開口部(10a)に取付けられると共に、遊技演出を表示するための表示装置(13)が取付けられる取付部材(31)が遊技盤(10)の裏面に配設された遊技機において、
前記配線(26)の一部を折曲げて結束した結束部(26a)と、
前記遊技装置(15)に設けられ、前記配線(26)における結束部(26a)を挟む前後の部位を保持する保持手段(28,29)と、
前記取付部材(31)に設けられ、前記結束部(26a)が挿脱可能で、該結束部(26a)を当接状態で収容保持する配線収容部(36)とを備えることを特徴とする。
請求項１に係る発明によれば、配線収容部を取付部材に設けたから、遊技盤に対する加工工程が増加することはない。また、配線を折曲げて結束した結束部を形成することで配線が纏まって取扱いが容易となり、しかも取付部材の組付け時には結束部を摘むまたは押さえて配線収容部に簡単に収容し得るから、取付部材と遊技盤との間に配線が挟まるのを気にすることなく迅速に作業を行なうことができる。すなわち、遊技装置の遊技盤面への組付け、遊技盤の裏面への取付部材の組付けの作業性が非常に向上し、遊技機の製造を迅速に行ない得る。更に、遊技装置の配線は取付部材の配線収容部に収容されるから、取付部材に表示装置を取付ける際に取付部材との間で配線を挟んでしまったり、表示装置の前側に配線が露出して表示演出の邪魔となるのは防止される。
【００１１】
請求項２に係る発明は、前記遊技装置(14)が、所要部位に開設した窓口(14a)を介して前記表示装置(13)を遊技盤前側に臨ませる装飾部材(14)であることを要旨とする。
請求項２に係る発明によれば、装飾部材の窓口に表示装置を臨ませるに際し、装飾部材との間で配線を挟んでしまったり、表示装置の前側に配線が露出して表示演出の邪魔となるのは防止される。
【００１２】
請求項３に係る発明は、前記配線収容部(36)において、前記結束部(26a)を配線収容部(36)に収容する際に押圧変形させた力を解除することで復元する側に、該結束部(26a)に当接する配線当接部(37)が設けたことを要旨とする。
請求項３に係る発明によれば、配線収容部に収容した結束部は、収容時に押圧変形された状態から復元する力によって配線当接部に当接しているから、結束部の前後の配線が引っ張られても、結束部が配線収容部から簡単に引出されてしまうのを抑制し得る。
【００１３】
請求項４に係る発明では、前記表示装置はケース体(41)に収容され、該ケース体(41)を前記取付部材(31)に着脱自在に固定する固定手段(44)が係合する保持部(40)が、前記配線収容部(36)に形成されていることを要旨とする。
請求項４に係る発明によれば、表示装置が収容されたケース体の固定手段が係合する保持部を配線収容部に設けたから、保持部と配線収容部とを別々に設ける構成に比べてスペースの有効利用を図ることができる。
【発明の効果】
【００１４】
本発明に係る遊技機によれば、遊技盤に対する遊技装置や表示装置を取付けるための取付部材の組付け時の作業性を向上し、遊技機の迅速な製造が可能となる。
【発明を実施するための最良の形態】
【００１５】
次に、本発明に係る遊技機につき、好適な実施例を挙げて、添付図面を参照しながら、以下詳細に説明する。なお実施例では、遊技球としてパチンコ球を用いるパチンコ機を例にして説明する。また、以下の説明において前・後とは、特に断りのない限り、図１に示すようにパチンコ機の遊技盤１０を正面側から見た場合において指称するものとする。
【実施例】
【００１６】
図１に示す如く、実施例に係るパチンコ機の遊技盤１０は、その前面側に、略円形状に湾曲形成したレール１１により遊技領域１２が画成されて、該遊技領域１２の上方位置に、遊技盤１０の裏側に配設される図柄表示装置(表示装置)１３が臨む大型の装飾部材(遊技装置)１４を本体とするセンター役物１５が配設されている。このセンター役物１５の装飾部材１４は、前記遊技領域１２の左右幅方向の大部分を占める枠状本体に、所要の意匠を施した装飾部品や発光体等を配設して構成され、遊技盤１０に開設した開口部１０ａ(図３参照)に枠状本体を前側から挿入したもとでネジ止めされる。そして、装飾部材１４の略中央位置に開設した窓口１４ａを介して、前記図柄表示装置１３が遊技盤１０の前側に臨むようになっている。また、前記遊技領域１２におけるセンター役物１５の下方位置には、遊技領域１２を流下するパチンコ球が入賞可能な始動入賞具１６が配設され、該始動入賞具１６の下側に、図柄表示装置１３での図柄変動ゲームの結果により開放する大型電動式の入賞装置１７を配設してある。更に、前記遊技領域１２の下部左右両側部には、図柄表示装置１３での図柄変動ゲームに応じて照射パターンを変更して発光演出を行なう電飾装置１８,１８が配設されている。なお、各電飾装置１８は、パチンコ球が入賞可能な複数の一般入賞口１９を備えると共に、正面右側の電飾装置１８には、遊技領域１２におけるセンター役物１５の左側位置に配設した普通始動口２０をパチンコ球が通過したときに普通図柄の変動を開始する普通図柄始動装置２１が配設されている。
【００１７】
前記装飾部材１４の上部に、図１に示す如く、図柄変動ゲームに関連するキャラクタを模した第１演出部材２２を有する第１可動式演出装置２３が配設されると共に、該装飾部材１４の右側部に、同じく図柄変動ゲームに関連するキャラクタを模した第２演出部材２４を有する第２可動式演出装置２５が配設されている。そして両可動式演出装置２３,２５では、図柄表示装置１３での図柄変動ゲームに合わせて演出部材２２,２４を、装飾部材１４の裏側に配設したモータ等の駆動手段(図示せず)によって動作させるよう構成される。なお、前記センター役物１５は、前記装飾部材１４に可動式演出装置２３,２５や発光体等の各種電気部品を配設した状態でユニットとして取扱われる。
【００１８】
前記装飾部材１４の上部に配設された前記発光体や第１可動式演出装置２３の駆動手段等の電気部品から裏側に導出する配線２６は、図４に示す如く、背面視において前記窓口１４ａの上側を左方に引き回された後に該窓口１４ａの左側を下方に引き回されて、パチンコ機本体や遊技盤１０の裏側に配設した図示しない中継基板や制御基板等に接続される。また配線２６には、図４および図８に示す如く、その一部が所定長さで折曲げられた状態で、結束具２７により結束された結束部２６ａが形成されている。前記配線２６は、複数のリード線が纏められたものであって、該配線２６を折曲げて結束することで、結束部２６ａには所要の弾力が付与される。なお、以後の説明において左・右とは、特に断りのない限り、遊技盤１０を背面側から見た場合において指称する。
【００１９】
前記装飾部材１４の裏面には、図４に示す如く、前記窓口１４ａの左上角部に近接する上側位置および左側位置に、配線保持用の保持手段としてのフック２８,２９が設けられ、前記配線２６における結束部２６ａを挟む前後の部位が、上側の第１フック２８および左側の第２フック２９に夫々係合保持されて配線２６が装飾部材１４から裏側に大きく突出しないようにしてある。また両フック２８,２９で配線２６が係合保持されている状態で、前記結束部２６ａは、略Ｕ字状に折曲された折返し側が装飾部材１４の裏面から後方に立上がるようになっている(図８参照)。なお、両フック２８,２９は、装飾部材１４の裏側に向けて略Ｌ字状に突出するよう形成されて、その開放側から配線２６を挿脱自在に挿入して係合保持するよう構成されている。また、装飾部材１４の裏面上部には、左右方向に離間して２つの位置決めボス１４ｂ,１４ｂが突設されている。
【００２０】
前記遊技盤１０の裏面には、図２または図３に示すように、前記図柄表示装置１３が配設される取付部材３１と、遊技盤裏側に通出するパチンコ球(セーフ球)を排出案内する樋部材３０とが着脱自在に配設されている。この取付部材３１は、図５に示す如く、上枠部３２、下枠部３３、左枠部３４および右枠部３５からなる略矩形枠状に形成され、これら枠部３２,３３,３４,３５で画成された開口窓３１ａを介して、取付部材３１に着脱自在に配設された前記図柄表示装置１３の表示面をセンター役物１５の窓口１４ａに臨ませるよう構成される。また取付部材３１は、各枠部３２,３３,３４,３５の前端縁に外側方に張出すように形成されたフランジ部３１ｂを遊技盤１０の裏面に当接した状態でビス等により着脱自在に組付けられる。なお、上枠部３２には、前記装飾部材１４に突設した各位置決めボス１４ｂと対応する位置に位置決め孔３２ａが穿設されており、取付部材３１の遊技盤１０への組付けに際し、既に遊技盤１０に組付けられている装飾部材１４の位置決めボス１４ｂを位置決め孔３２ａに挿通することで、遊技盤１０に対する取付部材３１の位置決めがなされるようになっている。
【００２１】
図２,図３または図５に示す如く、前記取付部材３１の下枠部３３は、幅方向の中央が切欠かれており、取付部材３１とは別体で成形された前記樋部材３０の上部が下枠部３３の切欠部３３ａに嵌まり込んでいる。なお、樋部材３０は、前端縁において外側方に張出すように形成された複数のフランジ部３０ａを遊技盤１０の裏面に当接した状態で、ビス等により着脱自在に組付けられる。また樋部材３０には、前記遊技盤１０に設けた始動入賞具１６、入賞装置１７および一般入賞口１９,１９に対応する裏側に臨む部位に、遊技盤１０の裏面との間に球案内路３０ｂが画成されている(図２,図３参照)。すなわち、始動入賞具１６、入賞装置１７および一般入賞口１９,１９に入って遊技盤裏側に通出されたセーフ球は、樋部材３０の球案内路３０ｂに集合された後に、図示しないセーフ球処理装置へ通出案内されるようになっている。なお、樋部材３０の裏面には、中継基板用の設置部３０ｃが複数成形されている。
【００２２】
前記取付部材３１の左枠部３４における上部で、前記遊技盤１０に組付けられたセンター役物１５の前記配線２６における結束部２６ａが臨む位置に、遊技盤１０の裏面から後方に向けて凹設された配線収容部３６が形成され、該配線収容部３６に前記結束部２６ａが挿脱可能に収容されるよう構成される(図７参照)。配線収容部３６の内部には、前側(遊技盤側)および開口窓３１ａを指向する内側が開放する収容空間３６ａが画成され、内側開口部３６ｂを介して結束部２６ａが収容空間３６ａに収容されるようにしてある。なお、収容空間３６ａの前側は、取付部材３１を遊技盤１０に組付けることで遊技盤裏面で閉塞される。また配線収容部３６の裏面側の内側縁には、前方に向けて所定長さで延出する第１配線当接部(配線当接部)３７が形成されている。この第１配線当接部３７における前端は、図８に示す如く、前記結束部２６ａの遊技盤裏面から立上がる折返し端部より前側に位置するよう設定され、結束部２６ａが収容空間３６ａに収容された状態で、当該第１配線当接部３７に結束部２６ａの折返し端部が当接して該結束部２６ａが空間外に抜け出るのを防止するようにしてある。なお、第１配線当接部３７は、配線収容部３６の収容空間３６ａに結束部２６ａを収容する際に押圧変形させた力を解除することで復元する側に位置している。
【００２３】
また、前記配線収容部３６における上側の内側縁には、図７に示す如く、下方に向けて所定長さで延出する第２配線当接部３８が前後方向の全長に亘って形成されている。そして、この第２配線当接部３８も、配線収容部３６の収容空間３６ａに収容された結束部２６ａが容易に空間外に抜け出るのを防止するべく機能する。前記配線収容部３６の内側開口部３６ｂは、第１および第２配線当接部３７,３８で画成されると共に、該内側開口部３６ｂの開口寸法に対して収容空間３６ａは後方および上方へ広くなるよう構成され、第１および第２配線当接部３７,３８をくぐるようにして収容空間３６ａに収容した配線２６の結束部２６ａにおける折返し端部を、第１および第２配線当接部３７,３８の開放端より後方あるいは上方に臨ませることができるようになっている。従って、収容空間３６ａに収容された結束部２６ａは、第１および第２配線当接部３７,３８に当接保持されて空間外に抜け出るのは抑制される。
【００２４】
なお、前記取付部材３１の左枠部３４について、配線収容部３６が形成される部位より下側の前面は、前記遊技盤１０の裏面から所定高さだけ離間しており、配線収容部３６に収容された結束部２６ａから下方に延出する配線２６が取付部材３１と遊技盤１０とで挟まれることがないよう構成してある。
【００２５】
前記取付部材３１の右枠部３５における裏面に、上下に離間して複数(実施例では３つであるがこれに限定されない)の第１保持部(保持部)３９が形成されると共に、前記左枠部３４の裏面部には、上下に離間して複数(実施例では２つであるがこれに限定されない)の第２保持部(保持部)４０が形成され(図５参照)、これら両保持部３９,４０を介して前記図柄表示装置１３が取付部材３１に裏側から着脱自在に取付けられるようになっている(図２参照)。すなわち、第１保持部３９は、内側に開放する挿入部３９ａが内部画成され、該挿入部３９ａに、図柄表示装置１３における後述するケース体４１の対応する右側面に突設された突起４２を挿入することで、該図柄表示装置１３の上下、前後および右方への移動を規制するよう構成される。また第２保持部４０は、前後に貫通する通孔であって、ケース体４１の対応する左側面に突設したフランジ４３に装着された回動式の固定具(固定手段)４４の係合部(図示せず)が裏側から挿脱可能に構成されている。そして、固定具４４の係合部を第２保持部４０に裏側から挿通した後、該固定具４４を所定角度回動することで、係合部が左枠部３４の前面側に係合して図柄表示装置１３が取付部材３１に固定されるようになっている。なお、上側に位置する第２保持部４０は、左枠部３４に形成した前記配線収容部３６の裏面部に形成されており、図柄表示装置１３の固定および配線２６における結束部２６ａの収容とを同一部位で行ない得るようにしてある。
【００２６】
なお、取付部材３１における左右の枠部３４,３５の裏面(図柄表示装置１３の取付面)は、前記遊技盤１０の裏面から大きく後方に離間し、取付部材３１に配設された図柄表示装置１３の表示面が、遊技盤１０の前面から奥側に離間して位置するよう設定される。これは、最近の図柄表示装置１３の大型化に伴い、遊技者から表示面を遠ざけることで演出内容を見易くするためである。また左枠部３４の裏面には、上下に離間して位置決め用の突部３４ａ,３４ａが突設されている。
【００２７】
図６に示す前記図柄表示装置１３は、ケース体４１の内部に液晶表示部および表示制御基板(何れも図示せず)を収容して構成され、該ケース体４１の右側面には、前記取付部材３１の各第１保持部３９と対応する位置に突起４２が夫々突設されている。またケース体４１の左側面には、外側方に延出するフランジ４３が形成され、該フランジ４３における取付部材３１の各第２保持部４０と対応する位置に回動式の固定具４４が夫々装着されており、各突起４２を対応する第１保持部３９に夫々挿入したもとで、各固定具４４を対応する第２保持部４０に夫々係合することで、当該図柄表示装置１３は取付部材３１に取付けられるようになっている。更に、フランジ４３には、前記取付部材３１の左枠部３４に設けた各突部３４ａと対応する位置に通孔４３ａが穿設されており、該通孔４３ａに突部３４ａを挿通することで位置決めがなされるようにしてある。なお、実施例の図柄表示装置１３のケース体４１には、その裏面左側に、サブ統括制御基板(図示せず)をケース部材４５に収容した制御装置４６が着脱自在に配設されている。
【００２８】
〔実施例の作用〕
次に、実施例に係る遊技機の作用につき説明する。
【００２９】
(センター役物の組立てについて)
前記装飾部材１４に、前記可動式演出装置２３,２５や発光体等の各種電気部品を配設してセンター役物１５を組立てると共に、前記第１可動式演出装置２３の駆動手段や発光体から導出して装飾部材１４の裏側に臨む配線２６の一部を折曲げ、結束具２７で結束することで結束部２６ａを形成する。また図４に示す如く、結束部２６ａを挟む前後の配線２６を、前記第１および第２フック２８,２９に係合保持させることで、ユニットとして取り扱い得るセンター役物１５が完成する。
【００３０】
(センター役物の組付けについて)
次に、ルーター加工により開口部１０ａが開口されると共に表面に遊技釘や風車等を植設した遊技盤１０に対し、前記センター役物１５を組付けるに際しては、前記第２フック２９から延出する配線２６(第２フック２９を挟んで結束部２６ａとは反対側に延出する部分)を、開口部１０ａに前側から裏側へ通すと共に、前記装飾部材１４の枠状本体を開口部１０ａに前側から挿入したもとで該枠状本体をネジ止めする。センター役物１５の裏側に臨む配線２６は、その一部に前記結束部２６ａが形成されているから纏まっており、遊技盤表面の遊技釘や風車等に引掛けることなく開口部１０ａに挿通する作業が容易となる。
【００３１】
(取付部材の組付けについて)
前記遊技盤１０に対するセンター役物１５の組付けが完了したら、前記取付部材３１および樋部材３０を遊技盤１０の裏面に組付ける。この際に、センター役物１５の位置決めボス１４ｂ,１４ｂを、取付部材３１の位置決め孔３２ａ,３２ａに挿通することで、遊技盤１０に対する取付部材３１の位置決めがなされる。そして、取付部材３１の各フランジ部３１ｂの前面を遊技盤１０の裏面に当接した状態で、該フランジ部３１ｂをネジ止めすることで、遊技盤１０に対する取付部材３１の組付けが完了する(図３参照)。この際に、センター役物１５の裏側に臨んでいる前記配線２６については、前記取付部材３１の開口窓３１ａ側に臨ませることで、該取付部材３１と遊技盤１０との間で配線２６が挟まれるのを防止し得る。また、前記結束部２６ａについては、指等で結束部２６ａを開口窓３１ａ側に倒すように押さえながら取付部材３１の組付け作業を行なう。実施例では、配線２６を取付部材３１の外周壁で押さえる構成ではないから、配線２６の位置をそれほど気にすることなく取付部材３１の遊技盤１０に対する組付け作業を迅速に行ない得る。
【００３２】
前記取付部材３１の遊技盤１０に対する組付け完了後、前記配線２６の結束部２６ａを、開口窓３１ａとは反対側(外側方)に倒すように押すことで、該結束部２６ａは変形しつつ前記配線収容部３６の収容空間３６ａに内側開口部３６ｂを介して収容される。結束部２６ａは、配線２６を折曲げて結束されることで纏められているから所要の弾性を有しており、結束部２６ａを収容空間３６ａに収容させる力を解除すると、該結束部２６ａは元の姿勢となるよう内側に向けて復元し、この復元力によって結束部２６ａは、図８に示す如く、配線収容部３６に設けられた前記第１配線当接部３７の内部側(収容空間３６ａ側)に当接保持される。これにより、結束部２６ａは配線収容部３６から外部に簡単には抜けなくなる。なお、配線２６における結束部２６ａを挟む前後の部位は、前記フック２８,２９で係合保持されているから、結束部２６ａを撓めた際に配線２６全体が移動してしまうことはない。
【００３３】
また、前記遊技盤１０における始動入賞具１６、入賞装置１７および一般入賞口１９,１９が設けられている部位に合わせて、前記樋部材３０を遊技盤１０の裏面に位置決めする。そして、樋部材３０の各フランジ部３０ａの前面を遊技盤１０の裏面に当接した状態で、該フランジ部３０ａをネジ止めすることで、遊技盤１０に対する樋部材３０の組付けが完了する(図３参照)。
【００３４】
(図柄表示装置の取付けについて)
前記遊技盤１０に組付けられた取付部材３１に対し、前記図柄表示装置１３を裏側から取付ける。この取付けは、図柄表示装置１３における前記ケース体４１の右側に設けた各突起４２を、取付部材３１における右枠部３５の対応する第１保持部３９の挿入部３９ａに右側(内側)から夫々挿入することで、該図柄表示装置１３の右側部における上下、前後および右方への移動が規制される。このケース体４１の左側に設けた前記フランジ４３を、取付部材３１における左枠部３４の裏面に当接すると共に、フランジ４３の各通孔４３ａに左枠部３４の突部３４ａを夫々挿通することで、図柄表示装置１３の左側部における上下、前および左右方向への移動が規制される。なお、フランジ４３を左枠部３４の裏面に当接することで、フランジ４３に装着した前記各固定具４４の係合部が、左枠部３４に形成した対応する第２保持部４０に夫々挿通され、各固定具４４を所定角度回動することで、係合部が左枠部３４の前面側に係合して図柄表示装置１３は取付部材３１に固定保持される(図２参照)。
【００３５】
前記図柄表示装置１３の取付けに際し、前記センター役物１５の配線２６における結束部２６ａは、図７に示すように取付部材３１の配線収容部３６に収容されているから、該配線２６を取付部材３１と図柄表示装置１３とで挟んでしまうのは抑制される。また、配線２６の結束部２６ａを配線収容部３６に収容することで、該結束部２６ａに引っ張られて配線２６は開口窓３１ａから離間する外側に導びかれるから、該配線２６が開口窓３１ａ側にはみ出して図柄表示装置１３の前側に露出するのも抑制され、表示演出の邪魔となるのは防止される。
【００３６】
前述したように実施例では、センター役物１５の裏側に臨む配線２６は、結束部２６ａを形成することで纏まっていると共に、取付部材３１の配線収容部３６に収容し得るよう構成してある。従って、遊技盤１０に対するセンター役物１５、取付部材３１および図柄表示装置１３の組付け作業に際しての配線２６の取り扱いが容易で、かつセンター役物１５の裏側に臨む配線２６を、取付部材３１と遊技盤１０あるいは取付部材３１と図柄表示装置１３とで挟んでしまうのを非常に気を付けて作業する必要もなく、迅速な組立てを行なって製造効率を向上し得る。
【００３７】
ここで、前述したように図柄表示装置１３の大型化に伴い、遊技者から表示面を遠ざけるために、前記取付部材３１における図柄表示装置１３の取付け面である裏面は、遊技盤１０の裏面から後方に大きく離間するよう設定されている。そして実施例では、この離間部分を利用して前記配線収容部３６を設けているから、該配線収容部３６を設けるために取付部材３１の後方への突出寸法が大きくなることはない。また配線収容部３６の後面部に、図柄表示装置１３を取付部材３１に固定するための第２保持部４０を形成したから、該第２保持部４０を設けるために遊技盤裏面から後方への突出寸法が大きくなることもなく、スペースの有効利用を図ることができる。
【００３８】
なお、前記配線２６を取付部材３１に装着した中継基板に接続するに際し、該配線２６における前記第２フック２９から延出している側を引っ張たとしても、前記結束部２６ａは配線収容部３６の第１配線当接部３７に、自身の復元力によって当接保持されているから、該結束部２６ａが容易に配線収容部３６から抜けることはない。また、組付け中において前記配線２６における第１フック２８で保持されている側を引っ張ったとしても、前記配線収容部３６における第１フック２８側には下方に張出す第２配線当接部３８が形成されているから、該当接部３８に結束部２６ａが当接して該結束部２６ａが配線収容部３６から抜けるのを抑制し得る。
【００３９】
(変更例)
なお、遊技機の構成としては、実施例のものに限られるものではなく、以下の如く種々の変更が可能である。
(1)実施例では、配線収容部に収容した結束部を開口窓側に臨む第１配線当接部または第２配線当接部で当接保持するよう構成したが、配線収容部の裏面部を利用することができる。すなわち、配線収容部３６の裏面部を第３配線当接部(配線当接部)とし、前記結束部２６ａの長さを遊技盤裏面から第３配線当接部までの離間長さより長く設定する。これにより、結束部２６ａを押圧変形して配線収容部３６の収容空間３６ａに収容した後、その力を解除することで、元の姿勢に復元しようとする結束部２６ａの折返し端部が第３配線当接部に当接し、空間外に抜け出るのは防止される。
(2)実施例では、遊技装置としてセンター役物を挙げて説明したが、遊技装置としては、始動入賞装置、入賞装置、サイドランプ、普通図柄始動装置、ランプ装置等、装置本体に配設した電気部品から配線が裏側に導出している構成のものであれば、その他各種の装置であってもよい。また、この場合における取付部材に設けられる配線収容部は、遊技盤に組付けた遊技装置から導出する配線が引き回される経路上にあればよい。
(3)実施例では、表示装置が取付けられる取付部材として、表示装置を取付けるための専用の部材を利用した場合で説明したが、樋部材を一体に成形した、所謂裏樋を利用することも可能である。なお、裏樋を利用する場合は、各種入賞装置に入ったセーフ球を集合するように球案内路が形成されたものに限らず、排出の経路が確保されていれば、セーフ球を集合することなく各入賞装置に対応して形成した球案内路を介して個々に排出するものであってもよい。
(4)実施例では、液晶表示部と表示制御基板とをケース体に収容して構成した図柄表示装置を挙げたが、表示装置としては、液晶表示部のみを取付部材に直に配設する構成であってもよい。または、液晶表示部がケース体に収容されたものであってもよい。
(5)装飾部材に設けられる配線用の保持手段は、実施例の構成に限定されるものでなく、配線を保持し得るものであればよい。
(6)実施例では、配線における結束部を挟む前後両側を保持手段で係合保持するよう構成したが、保持手段の何れか一方あるいは両方が無いものであってもよい。この場合においても、配線は結束部によって纏まっているから取り扱いが容易で、かつ結束部を配線収容部に収容することで配線は拘束されるから、取付部材や図柄表示装置(表示装置)の組付けに際してフリー状態の配線を気にして作業に時間が掛かるのを抑制し得る。
(7)取付部材に対する表示装置の取付け構造について、保持部の構成や固定具の構成は、実施例の構成に限定されるものでなく、公知の各種手段を用いることができる。
(8)遊技機としては、パチンコ機に限らずアレンジボール機やパチンコ式スロットマシン等であってもよく、遊技盤前面に遊技装置が配設されると共に遊技盤裏面に表示装置を取付けるための取付部材が配設されるものであればよい。
【図面の簡単な説明】
【００４０】
【図１】実施例に係るパチンコ機の遊技盤を示す正面図である。
【図２】実施例に係る遊技盤を、センター役物、取付部材、樋部材および図柄表示装置を組付けた状態で示す背面斜視図である。
【図３】実施例に係る遊技盤を、センター役物、取付部材および樋部材を組付けた状態で示す背面斜視図である。
【図４】実施例に係るセンター役物における装飾部材の背面斜視図である。
【図５】実施例に係る取付部材および樋部材の背面斜視図である。
【図６】実施例に係る図柄表示装置の背面図である。
【図７】実施例に係る取付部材の配線収容部に配線の結束部を収容した状態を示す要部背面斜視図である。
【図８】実施例に係る取付部材の配線収容部に配線の結束部を収容した状態を示す説明断面図である。
【符号の説明】
【００４１】
１０  遊技盤
１０ａ  開口部
１３  図柄表示装置(表示装置)
１４  装飾部材(遊技装置)
１４ａ  窓口
２６  配線
２６ａ  結束部
２８  第１フック(保持手段)
２９  第２フック(保持手段)
３１  取付部材
３６  配線収容部
３７  第１配線当接部(配線当接部)
４０  第２保持部(保持部)
４１  ケース体
４４  固定具(固定手段)
【図１】
2008036171.tif 000003
【図２】
2008036171.tif 000004
【図３】
2008036171.tif 000005
【図４】
2008036171.tif 000006
【図５】
2008036171.tif 000007
【図６】
2008036171.tif 000008
【図７】
2008036171.tif 000009
【図８】
2008036171.tif 000010